(57)【特許請求の範囲】
【請求項１】
透光性部材からなり、長手方向の端面に形成された光入射面、及び長手方向に沿って側面の一部に形成された光出射面を有する本体と、
前記本体の前記光出射面、又は前記側面の前記光出射面に隣接する面に設けられ、前記本体の外部から入射する方向の光を吸収する光吸収面と、前記本体から出射する方向の光を前記本体内に反射する光反射面とを有する反射吸収部材とを有する導光体。
【請求項２】
前記反射吸収部材は、前記光出射面の一部に設けられている請求項１に記載の導光体。
【請求項３】
前記反射吸収部材は、前記光入射面から長手方向の中心部に向かって前記光出射面を覆う割合が低くなるように設けられている請求項２に記載の導光体。
【請求項４】
前記本体は、長手方向に沿って前記光出射面に隣接し、前記光出射面とのなす角が鈍角である傾斜面を有し、
前記反射吸収部材は、前記傾斜面の少なくとも一部に設けられている請求項１乃至３のいずれか１項に記載の導光体。
【請求項５】
前記反射吸収部材は、前記光出射面を除く側面を覆うように設けられている請求項１乃至４のいずれか１項に記載の導光体。
【請求項６】
前記反射吸収部材は、前記本体側の面が鏡面である請求項２乃至５のいずれか１項に記載の導光体。
【請求項７】
前記反射吸収部材は、前記本体の側面に成膜された金属膜である請求項２乃至６のいずれか１項に記載の導光体。
【請求項８】
前記反射吸収部材は、前記本体に蒸着されたアルミニウムであり、前記本体側とは反対側の面が黒化処理されている請求項２乃至７のいずれか１項に記載の導光体。
【請求項９】
光源と、
透光性部材からなり、前記光源の光を主走査方向に導く導光体と、
前記導光体に導かれた光によって照射された原稿の反射光の強度に応じて画像情報を生成する画像情報生成部とを備え、
前記導光体は、長手方向の端面に形成された光入射面、及び長手方向に沿って側面の一部に形成された光出射面を有する本体と、
前記本体の前記光出射面、又は前記側面の前記光出射面に隣接する面に設けられ、前記本体の外部から入射する方向の光を吸収する光吸収面と、前記本体から出射する方向の光を前記本体内に反射する光反射面とを有する反射吸収部材とを有する画像読取装置。
【発明の詳細な説明】
【技術分野】
【０００１】
本発明は、導光体及び画像読取装置に関する。
【背景技術】
【０００２】
従来、原稿に光を照射し、その反射光によって原稿の画像を読み取る画像読取装置において、原稿の読取位置以外の部分で反射した光が周辺の部材等に反射してＣＣＤ（Charge Coupled Device）等のラインセンサの受光素子に入射し、これを原稿情報として読み取ってしまう現象（フレア）を抑制する構成を備えた画像読取装置が知られている（例えば、特許文献１参照）。
【０００３】
特許文献１に記載の画像読取装置では、光源及び原稿読取位置の周辺部にスリット形状の遮光部材を配置し、光束を絞ることでフレアを抑制するように構成されている。
【先行技術文献】
【特許文献】
【０００４】
【特許文献１】特開２０１０−６８４１１号公報
【発明の概要】
【発明が解決しようとする課題】
【０００５】
本発明の課題は、導光体自体の構成によってフレアを抑制することができる導光体及び画像読取装置を提供することにある。
【課題を解決するための手段】
【０００６】
［１］透光性部材からなり、長手方向の端面に形成された光入射面、及び長手方向に沿って側面の一部に形成された光出射面を有する本体と、前記本体の前記光出射面、又は前記側面の前記光出射面に隣接する面に設けられ、前記本体の外部から入射する方向の光を吸収する光吸収面と、前記本体から出射する方向の光を前記本体内に反射する光反射面とを有する反射吸収部材とを有する導光体。
【０００８】
［２］前記反射吸収部材は、前記光出射面の一部に設けられている前記［１］に記載の導光体。
【０００９】
［３］前記反射吸収部材は、前記光入射面から長手方向の中心部に向かって前記光出射面を覆う割合が低くなるように設けられている前記［２］に記載の導光体。
【００１０】
［４］前記本体は、長手方向に沿って前記光出射面に隣接し、前記光出射面とのなす角が鈍角である傾斜面を有し、前記反射吸収部材は、前記傾斜面の少なくとも一部に設けられている前記［１］から［３］のいずれか１つに記載の導光体。
【００１１】
［５］前記反射吸収部材は、前記光出射面を除く側面を覆うように設けられている前記［１］から［４］のいずれか１つに記載の導光体。
【００１２】
［６］前記反射吸収部材は、前記本体側の面が鏡面である前記［２］から［５］のいずれか１つに記載の導光体。
【００１３】
［７］前記反射吸収部材は、前記本体の側面に成膜された金属膜である前記［２］から［６］のいずれか１つに記載の導光体。
【００１４】
［８］前記反射吸収部材は、前記本体に蒸着されたアルミニウムであり、前記本体側とは反対側の面が黒化処理されている［２］から［７］のいずれか１つに記載の導光体。
【００１５】
［９］光源と、透光性部材からなり、前記光源の光を主走査方向に導く導光体と、前記導光体に導かれた光によって照射された原稿の反射光の強度に応じて画像情報を生成する画像情報生成部とを備え、前記導光体は、長手方向の端面に形成された光入射面、及び長手方向に沿って側面の一部に形成された光出射面を有する本体と、前記本体の前記光出射面、又は前記側面の前記光出射面に隣接する面に設けられ、前記本体の外部から入射する方向の光を吸収する光吸収面と、前記本体から出射する方向の光を前記本体内に反射する光反射面とを有する反射吸収部材とを有する画像読取装置。
【発明の効果】
【００１６】
請求項１,９に記載の発明によれば、導光体自体の構成によってフレアの影響を抑制するとともに、光出射面から出射する光の光量の低下を抑制することができる。
【００１８】
請求項２に記載の発明によれば、光出射面で反射する光を抑制することができる。
【００１９】
請求項３に記載の発明によれば、光出射面から出射する光の光量を長手方向に均等化することができる。
【００２０】
請求項４に記載の発明によれば、光出射面と隣り合う傾斜面で反射する光を抑制することができる。
【００２１】
請求項５に記載の発明によれば、光出射面以外の側面で反射する光を抑制することができる。
【００２２】
請求項６に記載の発明によれば、本構成を有しない場合に比較して、導光体の本体から出射する方向の光を高い割合で本体内に反射することができる。
【００２３】
請求項７に記載の発明によれば、光反射吸収部材を本体に密着させ、光の反射率を高めることができる。
【００２４】
請求項８に記載の発明によれば、本構成を有しない場合に比較して、反射吸収部材を容易に形成することができる。
【図面の簡単な説明】
【００２５】
【図１】図１は、本発明の第１の実施の形態に係る画像読取装置の構成例を示す概略図である。
【図２】図２は、本発明の第１の実施の形態に係る画像読取装置の全体構成の一例を示す構成図である。
【図３】図３は、本発明の第１の実施の形態に係る導光体の形状及び構成の一例を示す図であり、（ａ）は導光体の斜視図、（ｂ）は導光体の平面図、（ｃ）は導光体の断面図である。
【図４】図４は、本発明の第２の実施の形態に係る導光体の形状及び構成の一例を示す図であり、（ａ）は導光体の斜視図、（ｂ）は導光体の平面図、（ｃ）は導光体の断面図である。
【図５】図５は、本発明の第３の実施の形態に係る導光体の形状及び構成の一例を示す図であり、（ａ）は導光体の斜視図、（ｂ）は導光体の平面図、（ｃ）は導光体の断面図である。
【図６】図６は、本発明の第４の実施の形態に係る導光体の形状及び構成の一例を示す図であり、（ａ）は導光体の斜視図、（ｂ）は導光体の平面図、（ｃ）は導光体の断面図である。
【発明を実施するための形態】
【００２６】
［第１の実施の形態］
図１は、本発明の第１の実施の形態に係る画像読取装置の構成例を示す概略図である。この画像読取装置１００は、例えば複写機等の画像形成装置に組み込まれ、本体部１と、本体部１に対して開閉可能な蓋部２とを有し、原稿９の表面９ａの画像を読み取るように構成されている。
【００２７】
本体部１は、ガラス等の透明体からなる原稿台１１と、光源１２と、光源１２の光を主走査方向に導く一対の導光体１３と、結像レンズ１４と、読取素子１５とを有している。光源１２，導光体１３，結像レンズ１４，及び読取素子１５は、画像読取部１０を構成する。原稿台１１の蓋部２側の面には、シェーディング補正のための白基準部材１１１が配置されている。
【００２８】
光源１２は、赤色ＬＥＤ１２Ｒと、緑色ＬＥＤ１２Ｇと、青色ＬＥＤ１２Ｂとを備えている。光源１２は、一対の導光体１３のぞれぞれの主走査方向の両端面に向かい合って設けられている。
【００２９】
一対の導光体１３は、主走査方向に沿って互いに平行に配置されている。この導光体１３は、主としてＰＭＭＡ（Polymethyl-MethAcrylate：ポリメタクリル酸メチル）樹脂やガラス等の透光性部材からなる棒状である。また、導光体１３には、その側面に光を出射する光出射面１３ａが形成されており、この光出射面１３ａは、読取ロール２４と原稿台１１との間の位置にあたる読取位置９０ａに面している。導光体１３の構成の詳細については後述する。
【００３０】
結像レンズ１４は、例えば主走査方向に並列する複数のセルフォックレンズ（登録商標）によって形成されたロッドレンズアレイからなり、原稿９と読取素子１５との間に配置されている。この結像レンズ１４は、光源１２から導光体１３を介して原稿９を照射する照射光８ａが原稿９の表面９ａで反射した反射光８ｂを入射し、読取素子１５に結像するように構成されている。
【００３１】
読取素子１５は、例えばＣＣＤ（Charge Coupled Device）イメージセンサからなり、結像した反射光８ｂの強度に応じた電気信号を出力する。また、読取素子１５は、ＣＭＯＳ（Complementary Metal Oxide Semiconductor）イメージセンサ等によって構成してもよい。この読取素子１５は、原稿９の読み取り位置に対応して、主走査方向に沿って複数配置されている。
【００３２】
蓋部２は、給紙トレイ２１、原稿分離ロール２２、原稿搬送ロール２３、読取ロール２４、排出ロール２５、及び排紙台２６を有し、本体部１の上方に配置されている。
【００３３】
原稿分離ロール２２、原稿搬送ロール２３、読取ロール２４、及び排出ロール２５は、原稿搬送機構２０を構成し、原稿９を給紙トレイ２１から原稿読取位置９０ａを経由して排紙台２６まで搬送する。
【００３４】
図２は、画像読取装置１００の全体構成の一例を示す構成図である。画像読取装置１００は、画像読取装置１００の全体の制御を行うコントローラ３０と、原稿９の画像の読み取りを制御する読取制御部３１と、ユーザの操作によって動作指示や各種設定等の入力が可能な操作パネル３２とを有している。
【００３５】
読取制御部３１は、光源１２を構成する赤色ＬＥＤ１２Ｒ，緑色ＬＥＤ１２Ｇ，及び青色ＬＥＤ１２Ｂの点灯を制御する点灯制御部３１１と、原稿搬送機構２０を構成する各ロールを駆動する駆動制御部３１２と、読取素子１５が出力する電気信号をデジタル信号に変換するＡ／Ｄ変換部３１３と、Ａ／Ｄ変換部３１３で変換されたデジタル信号に基づいて画像情報を生成する画像処理部３１４と、画像情報をコントローラ３０に送信する送信部３１５とを有する。
【００３６】
点灯制御部３１１は、赤色ＬＥＤ１２Ｒ，緑色ＬＥＤ１２Ｇ，及び青色ＬＥＤ１２Ｂに電流を供給することにより、これらのＬＥＤを１つずつ順次点灯させる。
【００３７】
駆動制御部３１２は、操作パネル３２によってユーザから原稿９の読み取りを指示されると、図略のモータを駆動して、原稿分離ロール２２、原稿搬送ロール２３、読取ロール２４、及び排出ロール２５を回転させる。給紙トレイ２１に複数の原稿９が置かれた場合には、全ての原稿９が排紙台２６に排出されるまで各ロールを回転させる。
【００３８】
Ａ／Ｄ変換部３１３は、読取素子１５から出力された反射光８ｂの強度に応じたアナログ信号をデジタル信号に変換して出力する。
【００３９】
画像処理部３１４は、Ａ／Ｄ変換部３１３が出力するデジタル信号に基づいて、原稿９の画像の読み取り結果を示すカラーの画像情報を生成する。より詳細には、赤色ＬＥＤ１２Ｒの発光時における反射光８ｂの強度に応じて赤色に対応した画像情報を生成し、緑色ＬＥＤ１２Ｇの発光時における反射光８ｂの強度に応じて緑色に対応した画像情報を生成し、青色ＬＥＤ１２Ｂの発光時における反射光８ｂの強度に応じて青色に対応した画像情報を生成する。
【００４０】
送信部３１５は、データ送信のための差動回路等を有し、画像処理部３１４で生成された画像情報をコントローラ３０に転送可能に構成されている。
【００４１】
コントローラ３０は、転送された画像情報を例えば複写機の画像形成部に出力して用紙にカラー画像を印刷させ、あるいは通信回線で接続されたコンピュータや記憶媒体等に画像情報を出力する。
【００４２】
（導光体の構成）
図３は、導光体１３の構成例を示す図であり、（ａ）は導光体１３の斜視図、（ｂ）は導光体１３の平面図、（ｃ）は導光体１３の一部の断面図である。なおこの図３では、説明のために導光体１３の長手方向の長さを幅方向に対して縮小して示している。
【００４３】
図３（ａ）〜（ｃ）に示すように、導光体１３は、透光性部材からなる本体部１３０と、本体１３０の光出射面１３ａの一部に設けられた光吸収部材の一例としての第１の反射吸収部材４０とを有している。
【００４４】
本体１３０は、全体としては光出射面１３ａの幅方向の両側が面取りされた略直方体状であり、その長手方向の一方の端面に第１の光入射面１３ｇを有し、長手方向の他方の端面に第２の光入射面１３ｈを有している。第１の光入射面１３ｇ及び第２の光入射面１３ｈは、光源１２から発した光が入射するように、光源１２に対向して画像読取装置１００の本体部１に配置される。
【００４５】
また、第１の光入射面１３ｇ及び第２の光入射面１３ｈに直交し、本体１３０の長手方向に延びる側面には、光出射面１３ａと、光出射面１３ａに隣接する第１の傾斜面１３ｂ及び第２の傾斜面１３ｃと、第１の傾斜面１３ｂに隣り合う第１の横面１３ｄと、第２の傾斜面１３ｃに隣り合う第２の横面１３ｅと、第１の横面１３ｄ及び第２の横面１３ｅに直交して隣り合う底面１３ｆとが形成されている。
【００４６】
光出射面１３ａは、長手方向に沿って延びる平面に形成され、底面１３ｆと平行に向かい合っている。第１の傾斜面１３ｂは、長手方向に沿って光出射面１３ａと隣接する。また、第２の傾斜面１３ｃは、光出射面１３ａの幅方向の他側で長手方向に沿って光出射面１３ａと隣接する。本体１３０の長手方向に垂直な断面において、第１の傾斜面１３ｂ及び第２の傾斜面１３ｃは、光出射面１３ａに対して傾斜して形成されている。この断面において、光出射面１３ａと第１の傾斜面１３ｂ及び第２の傾斜面１３ｃとがなす角度は共に鈍角である。この角度は、例えば１１０〜１６０°の範囲に設定される。
【００４７】
図３（ｂ）及び（ｃ）に示すように、光出射面１３ａの一部には第１の反射吸収部材４０が設けられている。より具体的には、光出射面１３ａには、微小な第１の反射吸収部材４０が多数設けられ、光出射面１３ａの第１の反射吸収部材４０が設けられていない領域から光が出射するように構成されている。
【００４８】
本実施の形態では、第１の反射吸収部材４０としてアルミニウムを用いた場合について説明するが、第１の反射吸収部材４０の材料としてはアルミニウムの他に例えばクロムや亜鉛、もしくはニッケル等の金属を用いることができる。この第１の反射吸収部材４０は、例えばマスクを介した蒸着によりアルミニウム等の金属膜を光出射面１３ａに成膜することで形成することができる。
【００４９】
第１の反射吸収部材４０は、長手方向両端部の第１の光入射面１３ｇ及び第２の光入射面１３ｈから長手方向の中心部に向かって、光出射面１３ａを覆う割合が低くなるように設けられている。
【００５０】
より具体的には、図３（ｂ）に示すように、アルミ蒸着により形成された点状の第１の反射吸収部材４０の大きさが両端部付近の第１領域１３１ａでは比較的大きく、第１領域１３１ａよりも長手方向中心部に近い第２領域１３２ａでは、第１の反射吸収部材４０の大きさが第１領域１３１ａよりも小さく形成されている。光出射面１３ａの長手方向中心部の第３領域１３３ａの付近には第１の反射吸収部材４０が形成されていない。なお、第１の反射吸収部材４０の密度、又は密度及び大きさを変えることによって、第１の反射吸収部材４０が光出射面１３ａを覆う割合が徐々に低くなるようにしてもよい。また、第１の反射吸収部材４０の形状は点状に限らず、例えば線状としてもよい。
【００５１】
図３（ｃ）に示すように、第１の反射吸収部材４０は、光出射面１３ａの表面に膜状に形成されている。第１の反射吸収部材４０の本体１３０側の面は鏡面であり、光出射面１３ａに密着した光反射面４０ａとして形成されている。第１の反射吸収部材４０は、この光反射面４０ａにより、本体１３０から出射する方向の光を本体内に反射する機能を有している。
【００５２】
また、第１の反射吸収部材４０の光反射面４０ａとは反対側の面は、アルミニウムの酸化によって黒化処理した黒色の光吸収面４０ｂとして形成されている。第１の反射吸収部材４０は、この光吸収面４０ｂにより、本体１３０の外部から入射する方向の光を吸収する機能を有している。
【００５３】
光反射面４０ａは、光入射面１３ｇ又は第２の光入射面１３ｈから入射し、本体１３０から出射する方向の入射光１２ａを本体１３０の内部に反射する。光反射面４０ａで反射した光の一部は、本体１３０の内部でさらに反射し、光出射面１３ａの第１の反射吸収部材４０が形成されていない箇所から出射する。
【００５４】
また、光吸収面４０ｂは、原稿９の表面９ａ等で反射して、本体１３０の外部から光出射面１３ａに入射する方向の反射光１２ｂを吸収する。
【００５５】
光源１２の光は、長手方向両端部の光入射面１３ｇ及び第２の光入射面１３ｈから入射するため、第１の反射吸収部材４０が形成されていない場合には、原稿９を照射する照射光８ａ（図１参照）の光量が主走査方向の両端部で大きく、中心部付近で低下する。図３（ｂ）に示す例では、第１の反射吸収部材４０の大きさが端部付近で比較的大きいので、光反射面４０ａで反射される割合が主走査方向の両端部で高くなり、導光体１３の長手方向の光量分布が均一化される。
【００５６】
また、原稿９の表面９ａで反射した光が光出射面１３ａでさらに反射すると、その光が画像読取装置１００の本体部１の構成部材で反射を繰り返して読取素子１５に入射する場合があるが、第１の反射吸収部材４０の光吸収面４０ｂで原稿９の表面９ａ等で反射した反射光１２ｂが吸収されるので、反射を繰り返して読取素子１５に入射する光量が低減される。
【００５７】
［第２の実施の形態］
図４は、本発明の第２の実施の形態に係る導光体１３の構成例を示す図であり、（ａ）は導光体１３の斜視図、（ｂ）は導光体１３の平面図、（ｃ）は導光体１３の断面図である。
【００５８】
本実施の形態に係る導光体１３は、本体１３０の形状が第１の実施の形態と同じであるが、反射吸収部材の配置が異なっている。第１の実施の形態に係る導光体１３と共通する構成については、同一の符号を付して説明を省略する。
【００５９】
本実施の形態に係る導光体１３には、図４（ａ）及び（ｂ）に示すように、本体１３０の第１の傾斜面１３ｂに第２の反射吸収部材４１１が設けられ、第２の傾斜面１３ｃに第３の反射吸収部材４１２が設けられている。この図に示す例では、第１の傾斜面１３ｂ及び第２の傾斜面１３ｃの全面に第２の反射吸収部材４１１及び第３の反射吸収部材４１２が設けられているが、第１の傾斜面１３ｂ及び第２の傾斜面１３ｃの一部に第２の反射吸収部材４１１及び第３の反射吸収部材４１２を設けてもよい。また、光出射面１３ａには反射吸収部材が設けられていない。
【００６０】
第２の反射吸収部材４１１及び第３の反射吸収部材４１２は、光吸収部材の一例であり、第１の実施の形態に係る第１の反射吸収部材４０と同様、本体１３０の表面にアルミニウムを蒸着し、外側の表面を黒化処理して形成されている。
【００６１】
図４（ｃ）に示すように、第２の反射吸収部材４１１の本体１３０側の面は鏡面の光反射面４１１ａとして形成され、光反射面４１１ａの反対側の面は黒色の光吸収面４１１ｂとして形成されている。同様に、第３の反射吸収部材４１２の本体１３０側の面は鏡面の光反射面４１２ａとして形成され、光反射面４１２ａの反対側の面は黒色の光吸収面４１２ｂとして形成されている。
【００６２】
第１の光入射面１３ｇ又は第２の光入射面１３ｈから入射した入射光１２ａは、例えば図４（ｃ）に示すように、第３の反射吸収部材４１２の光反射面４１２ａで反射し、さらに底面１３ｆで反射して、光出射面１３ａから出射する。このように、第２の反射吸収部材４１１及び第３の反射吸収部材４１２の内側の面が光反射面４１１ａ，４１２ａとして形成されているので、これらの面で光が吸収されてしまう場合に比べて、光出射面１３ａから出射される光量が増大する。
【００６３】
また、第２の反射吸収部材４１１及び第３の反射吸収部材４１２は、導光体１３から出射される光の絞りとして機能し、導光体１３から出射される光が原稿９の読み取り位置９０ａに当たる割合が高くなる。
【００６４】
また、原稿９の表面９ａで反射した光が第１の傾斜面１３ｂ又は第２の傾斜面１３ｃでさらに反射すると、その光が画像読取装置１００の本体部１の構成部材で反射を繰り返して読取素子１５に入射する場合があるが、第２の反射吸収部材４１１及び第３の反射吸収部材４１２の光吸収面４１１ｂ，４１２ｂによって原稿９の表面９ａ等で反射した反射光が吸収されるので、反射を繰り返して読取素子１５に入射する光量が低減される。
【００６５】
［第３の実施の形態］
図５は、本発明の第３の実施の形態に係る導光体１３の構成例を示す図であり、（ａ）は導光体１３の斜視図、（ｂ）は導光体１３の平面図、（ｃ）は導光体１３の断面図である。
【００６６】
本実施の形態に係る導光体１３は、本体１３０の形状が第１及び第２の実施の形態と同じであるが、反射吸収部材の配置が異なっている。第１及び第２の実施の形態に係る導光体１３と共通する構成については、同一の符号を付して説明を省略する。
【００６７】
本実施の形態に係る導光体１３の光出射面１３ａには、第１の反射吸収部材４０が、長手方向両端部の第１の光入射面１３ｇ及び第２の光入射面１３ｈから長手方向の中心部に向かって光出射面１３ａを覆う割合が低くなるように設けられている。また、第１の傾斜面１３ｂに第２の反射吸収部材４１１が設けられ、第２の傾斜面１３ｃに第３の反射吸収部材４１２が設けられている。
【００６８】
第１の光入射面１３ｇ又は第２の光入射面１３ｈから入射した入射光１２ａは、例えば図５（ｃ）に示すように、第１の反射吸収部材４０の光反射面４０ａ及び第３の反射吸収部材４１２の光反射面４１２ａで反射し、さらに第２の横面１３ｅ及び底面１３ｆで反射して、光出射面１３ａから出射する。また、第２の反射吸収部材４１１及び第３の反射吸収部材４１２は、導光体１３から出射される光の絞りとして機能し、出射光が原稿９の読み取り位置９０ａに当たる割合が高くなる。
【００６９】
また、原稿９の表面９ａで反射した光が、光出射面１３ａ、第１の傾斜面１３ｂ、又は第２の傾斜面１３ｃでさらに反射すると、その光が画像読取装置１００の本体部１の構成部材で反射を繰り返して読取素子１５に入射する場合があるが、第１の反射吸収部材４０の光吸収面４０ｂ，第２の反射吸収部材４１１の光吸収面４１１ｂ，又は第３の反射吸収部材４１２の光吸収面４１２ｂによって原稿９の表面９ａ等で反射した反射光が吸収されるので、反射を繰り返して読取素子１５に入射する光量が低減される。
【００７０】
［第４の実施の形態］
図６は、本発明の第４の実施の形態に係る導光体１３の構成例を示す図であり、（ａ）は導光体１３の斜視図、（ｂ）は導光体１３の断面図である。
【００７１】
本実施の形態に係る導光体１３は、本体１３０の形状が第１乃至第３の実施の形態と同じであるが、反射吸収部材の配置が異なっている。第１乃至第３の実施の形態に係る導光体１３と共通する構成については、同一の符号を付して説明を省略する。
【００７２】
本実施の形態に係る導光体１３は、第１の反射吸収部材４０，第２の反射吸収部材４１１，及び第３の反射吸収部材４１２に加え、第１の横面１３ｄに第４の反射吸収部材４１３が、第２の横面１３ｅに第５の反射吸収部材４１４が、底面１３ｆに第６の反射吸収部材４１５が、それぞれ設けられている。
【００７３】
第４の反射吸収部材４１３，第５の反射吸収部材４１４，及び第６の反射吸収部材４１５は、光吸収部材の一例であり、第１の実施の形態に係る第１の反射吸収部材４０と同様、本体１３０の表面にアルミニウムを蒸着し、外側の表面を黒化処理して形成されている。
【００７４】
図６（ｂ）に示すように、第４の反射吸収部材４１３の本体１３０側の面は鏡面の光反射面４１３ａとして形成され、光反射面４１３ａの反対側の面は黒色の光吸収面４１３ｂとして形成されている。同様に、第５の反射吸収部材４１４の本体１３０側の面は鏡面の光反射面４１４ａとして形成され、光反射面４１４ａの反対側の面は黒色の光吸収面４１４ｂとして形成されている。また同様に、第６の反射吸収部材４１５の本体１３０側の面は鏡面の光反射面４１５ａとして形成され、光反射面４１５ａの反対側の面は黒色の光吸収面４１５ｂとして形成されている。
【００７５】
なお、図６（ａ）に示す例では、第４の反射吸収部材４１３，第５の反射吸収部材４１４，及び第６の反射吸収部材４１５が、第１の横面１３ｄ，第２の横面１３ｅ，及び底面１３ｆの全面に形成されているが、それぞれの面の一部に形成されていてもよい。
【００７６】
第１の光入射面１３ｇ又は第２の光入射面１３ｈから入射した入射光１２ａは、例えば図６（ｂ）に示すように、第１の反射吸収部材４０の光反射面４０ａ及び第３の反射吸収部材４１２の光反射面４１２ａで反射し、さらに第６の反射吸収部材４１５の光反射面４１５ａ、及び第４の反射吸収部材４１３の光反射面４１３ａで反射して、光出射面１３ａから出射する。本体１３０の側面のうち、光出射面１３ａ以外の面には全体に反射吸収部材が設けられているので、光出射面１３ａ以外の面から漏れる光が低減される。
【００７７】
また、第１の反射吸収部材４０，第２の反射吸収部材４１１，及び第３の反射吸収部材４１２に加え、第４の反射吸収部材４１３，第５の反射吸収部材４１４，及び第６の反射吸収部材４１５が、光出射面１３ａを除く本体１３０の側面を覆うように形成されているので、本体１３０の表面で反射する光がより低減される。
【００７８】
［他の実施の形態］
なお、本発明は、上記各実施の形態に限定されず、本発明の趣旨を逸脱しない範囲内で種々な変形が可能である。
【００７９】
例えば、上記各実施の形態では、反射吸収部材をアルミニウムの蒸着により形成したが、これに限らず、例えばメッキ等により形成してもよい。また、反射吸収部材の材料は金属に限らず、例えば白色の樹脂を導光体の本体に溶着し、その外側の面を黒色に着色して形成してもよい。
【００８０】
また、上記実施の形態では、導光体１３の本体１３０を長手方向の両端面及び６つの平面からなる側面で形成したが、これに限らない。例えば、導光体の形状は直方体であってもよく、円柱状であってもよい。またさらに、導光体１３を画像読取装置１００に固定するための固定部を本体１３０と一体に設けてもよい。
【００８１】
また、導光体１３の第１の光入射面１３ｇ及び第２の光入射面１３ｈにおける光源１２からの光の入射を妨げない部位に反射吸収部材を設けてもよい。
【符号の説明】
【００８２】
１…本体部、２…蓋部、８ａ…照射光、８ｂ…反射光、９…原稿、９ａ…表面、１０…画像読取部、１１…原稿台、１２…光源、１２Ｒ…赤色ＬＥＤ、１２Ｇ…緑色ＬＥＤ、１２Ｂ…青色ＬＥＤ、１３…導光体、１３ａ…光出射面、１３ｂ…第１の傾斜面、１３ｃ…第２の傾斜面、１３ｄ…第１の横面、１３ｅ…第２の横面、１３ｆ…底面、１３ｇ…第１の光入射面、１３ｈ…第２の光入射面、１４…結像レンズ、１５…読取素子、２０…原稿搬送機構、２１…給紙トレイ、２２…原稿分離ロール、２３…原稿搬送ロール、２４…読取ロール、２５…排出ロール、２６…排紙台、３０…コントローラ、３１…読取制御部、３２…操作パネル、４０…第１の反射吸収部材、１００…画像読取装置、１１１…白基準部材、１３０…本体、３１１…点灯制御部、３１２…駆動制御部、３１３…Ａ／Ｄ変換部、３１４…画像処理部、３１５…送信部、４１１…第２の反射吸収部材、４１２…第３の反射吸収部材、４１３…第４の反射吸収部材、４１４…第５の反射吸収部材、４１５…第６の反射吸収部材、４０ａ，４１１ａ，４１２ａ，４１３ａ，４１４ａ，４１５ａ…光反射面、４０ｂ，４１１ｂ，４１２ｂ，４１３ｂ，４１４ｂ，４１５ｂ…光吸収面
【図１】
0005609361.tif 000002
【図２】
0005609361.tif 000003
【図３】
0005609361.tif 000004
【図４】
0005609361.tif 000005
【図５】
0005609361.tif 000006
【図６】
0005609361.tif 000007